(57)【要約】      （修正有）【課題】簡単な構造で微妙な調整を行う吊り引戸の縦枠調整装置を提供する。【解決手段】上枠２、下枠と左右の縦枠４とによって方形に枠組みされ、縦枠４端部の側面に上枠２を突き当てて取り付け、縦枠４の側板部６の上下部を貫通した固定ネジ７を上枠２に止着するとともに、上枠２の左右端部付近に吊りローラ８を固定した吊り引戸１において、水平片１４と長孔を有する垂直片１６とを備えたＬ字形の調整金具１３を縦枠４と上枠２との突き当て部に配置し、垂直片１６を側板部６の外側に当接して固定し、上部の固定ネジ７は長孔を通して側板部６を貫通させるとともに、水平片１４を上枠２の上面部に当接して調整ネジ２０により上枠２に止着し、固定ネジ７と調整ネジ２０とにより、縦枠４を上下方向に移動調整する。【選択図】図１
2014125847.tif 000002
【特許請求の範囲】
【請求項１】
上下枠と左右の縦枠とによって方形に枠組みされ、縦枠端部の側面に上枠を突き当てて取り付け、縦枠の側板部の上下部を貫通した固定ネジを上下枠に止着するとともに、上枠の左右端部付近に吊りローラを固定した吊り引戸において、
水平片と長孔を有する垂直片とを備えたＬ字形の調整金具を縦枠と上枠との突き当て部に配置し、上記垂直片を上記側板部の外側に当接して固定し、上記上部の固定ネジは上記長孔を通して上記側板部を貫通させるとともに、上記水平片を上枠の上面部に当接して調整ネジにより上枠に止着し、上記固定ネジと調整ネジとにより、上記縦枠を上下方向に移動調整する
ことを特徴とする吊り引戸の縦枠調整装置。
【請求項２】
上記調整ネジは上枠の内側に配置された裏板に止着されていることを特徴とする、請求項１に記載の吊り引戸の縦枠調整装置。
【発明の詳細な説明】
【技術分野】
【０００１】
本発明は、吊り引戸が変形して２つの吊り引戸の縦枠同士の間又は吊り引戸と戸当りとの間に上下不均一な隙間が生じた場合に、吊り引戸の縦枠の垂直度を調整することにより吊り引戸の変形を補正して上記隙間を均一にする吊り引戸の縦枠調整装置に関するものである。
【背景技術】
【０００２】
一般に、２枚の上吊り式引き戸を取り付けた場合、施工後に両引き戸を突き合わせて両吊り引戸間の隙間（具体的には両吊り引戸の縦枠間の隙間）が均一になるように建付け調整をしている。突き合わせられた両引戸の上部と下部の隙間が均一でなく、一方の隙間が他方の隙間に比べて大きくなると、外観が損なわれるだけでなく、施錠解錠が困難になることがある。引戸の高さが大きくなればなるほど、上下部の一方のずれが他方で大きくなるので目立ちやすくなり、調整が必要となるのである。
【０００３】
そこで、従来は、この不均一を補正するため、吊り引戸を吊っている２つの吊りローラのうちの片側の吊りローラと吊り引戸との間隔を調整し、吊り引戸の吊り高さを調整する方法が知られている。これは、吊りローラと吊り引戸とを連結する連結部に長孔を形成し、この長孔に吊り引戸からの固定ネジが挿通して締結固定するようにしたもので、固定ネジを緩めることにより、吊りローラと吊り引戸との間隔を調整しようとするものである。
【０００４】
また、特許文献１に示すように、建具の下框の下端に建て付け調整用操作部３を設けた調整桟２を上下方向に移動可能に設け、調整操作部３のネジ軸５を下框と縦框との連結片２０に螺合し、ネジ軸５に固定したダイヤルを回して調整桟２を上下に移動させて建て付けを調整するものが知られている。
【先行技術文献】
【特許文献】
【０００５】
【特許文献１】特開平１１−６３６５号公報
【発明の概要】
【発明が解決しようとする課題】
【０００６】
しかしながら、吊り引戸の吊り高さを調整する構造では、高さ調整機能を備えた吊りローラは比較的価格が高いほか、吊り引戸の重量が重い場合、固定ネジを緩めた際に吊り引戸がその重量で大きく下がってしまい、固定ネジを長孔の途中で止めるという微妙な調整が難しい。微妙な調整をするためには、重い吊り引戸を下から支えなければならないため、複数の作業員が必要となる。
【０００７】
また、特許文献１の発明は、下框のほかに調整桟を設け、また調整桟に調整操作部を設ける構造であるから、重量が重くなったり、構造が複雑でコストアップを招いたりする要因になっていた。
【０００８】
本発明は上記問題点を解消し、簡単な構造であって微妙な調整を行うことができる吊り引戸の縦枠調整装置を提供することをその課題とする。
【課題を解決するための手段】
【０００９】
上記課題を解決するため、請求項１に係る発明は、上下枠と左右の縦枠とによって方形に枠組みされ、縦枠端部の側面に上枠を突き当てて取り付け、縦枠の側板部の上下部を貫通した固定ネジを上下枠に止着するとともに、上枠の左右端部付近に吊りローラを固定した吊り引戸において、水平片と長孔を有する垂直片とを備えたＬ字形の調整金具を縦枠と上枠との突き当て部に配置し、上記垂直片を上記側板部の外側に当接して固定し、上記上部の固定ネジは上記長孔を通して上記側板部を貫通させるとともに、上記水平片を上枠の上面部に当接して調整ネジにより上枠に止着し、上記固定ネジと調整ネジとにより、上記縦枠を上下方向に移動調整することを特徴とする。
【００１０】
請求項２に係る発明は、請求項１において、上記調整ネジは上枠の内側に配置された裏板に止着されていることを特徴とする。
【発明の効果】
【００１１】
請求項１に係る発明によれば、Ｌ字形の調整金具を縦枠と上枠との突き当て部に配置し、調整金具の垂直片を縦枠の側板部の外側に当接して固定し、固定ネジは垂直片の長孔を通して上記側板部を貫通し、さらに上枠に止着させるとともに、調整金具の水平片を上枠の側面部に当接して調整ネジにより上枠に止着した構成であるから、まず固定ネジを緩めることにより、縦枠は引戸本体の自重で下がるように力を受けるが、しかし縦枠は調整金具の垂直片に固定されているから、調整金具に支持され、移動することはできない。次に、調整ネジを緩めると、調整ネジの頭部は浮き上がるから、水平片の押えが緩む。調整金具には縦枠等の荷重が加えられているので、この荷重により調整金具の水平片は調整ネジが緩んだ分だけ浮き上がる。水平片のネジ止め部分が浮き上がると、垂直片は下がるから、それに対応して縦枠もずり落ちる。必要な量だけ調整したら、調整ネジ等を再び固定すればよい。このようにして、縦枠の移動量を調整することができるが、その移動量は微小なので、微妙な移動調整を行うことができる。縦枠が下方に移動調整することにより、引戸全体の変形を補正することができる。
【００１２】
また、調整ネジの緩み方向と水平片の浮き上がり方向は同じで、吊り引戸の重量に関係なく、調整ネジの緩み量に対応する分しか水平片は浮き上がらない。したがって、吊り引戸１の高さが高く、重量が重くても、縦枠の微調整を行うことができる。しかも、吊り引戸パネルを吊り下げた状態で微調整することができるから、調整作業は一人でも行うことができる。
【００１３】
以上のように、倒立Ｌ字形という簡単な構造の調整金具のほかに特別の部品を使わないから部品点数が少なくて済み、調整金具を取り付けるのに上枠や縦枠を加工する必要がない。しかも、吊り引戸本体の自重によって縦枠が下がることを利用して強制的に歪ませて調整する。したがって、比較的安価に製作することができる。
【００１４】
請求項２に係る発明によれば、調整ネジによる調整金具の支持をより強固にすることができる。
【図面の簡単な説明】
【００１５】
【図１】吊り引戸構造の要部の正面図
【図２】図１のＸ−Ｘ線上の断面図
【図３】図１のＹ−Ｙ線上の断面図
【図４】図１の吊り引戸の平面図
【図５】（ａ）（ｂ）（ｃ）は調整金具の正面図、平面図及び側面図
【図６】調整後の吊り引戸構造の要部の正面図
【図７】図６を図１のＸ−Ｘ線と同じ断面で示した側面図
【図８】（ａ）は吊り引戸の歪み状態を簡単に示した簡略図、（ｂ）は調整による吊り引戸の補正態様説明図
【発明を実施するための形態】
【００１６】
図１は吊り引戸構造の要部の拡大図で、符号１は吊り引戸を示す。この引戸１は上枠２、下枠（図示せず）と左右の縦枠４とにより、縦枠４の端部の側面に上枠２の端部を突き当てて方形に枠組みし、内側にパネル５を設けたものである。縦枠４の側板部６からは上部左右の２本と中央下部の３本の固定ネジ７が貫通（図２参照）し、それぞれ上枠２に形成されたビスホール（図示せず）に止着され、これによって縦枠４と上枠２とが連結固定されている。他のコーナー部も同様である。そして、上枠２の左右端部付近には吊りローラ８が固定されている。吊りローラ８は２個の回転ローラ９を支持した支持部材１０の中央には吊り棒１１が設けられ、吊り棒１１の下端は上枠２に固定されている。
【００１７】
１２は上レールを示す。上レール１２には吊りローラ８の回転ローラ９を転動自在に支持するレール（図示せず）が形成され、吊りローラ８を介して吊り引戸１が上レール１２に沿ってスライドできるようになっている。
【００１８】
次に、縦枠４と上枠２との突き当て部には調整金具１３が配置されている。図５に示されるように、調整金具１３は水平片１４と垂直片１６とから倒立Ｌ字形に形成され、水平片１４には１個の長孔１７が形成され、垂直片１６には左右の上下部と中央下部にそれぞれ３個の長孔１５が形成され、左右の中間部には円孔１８が形成されている。
【００１９】
上記固定ネジ７は調整金具１３の垂直片１６の３個の長孔１５を通り、さらに縦枠４の側板６を貫通して上枠２のビスホール（図示せず）に螺着されている。水平片１４は上枠２の上面に当接し、調整ネジ２０により上枠２に固定されている。図１及び図３に示されるように、上枠２の内側にはＵ字形の裏板２１が配置され、調整ネジ２０は上枠２を貫通して裏板２１に止着されている。垂直片１６は、短ネジ２２によって縦枠４に固定されている。
【００２０】
次に、吊り引戸１が歪んだときの調整作業について図６〜図８（ａ）（ｂ）に基づき説明する。
【００２１】
まず、３本の固定ネジ７を緩める。これにより、縦枠４は引戸１本体の自重で下がるように力を受けるが、しかし縦枠４は調整金具１３の垂直片１６に短ネジ２２で固定されているから、調整金具１３に支持され、移動することはできない。次に、調整ネジ２０を緩めると、調整ネジ２０の頭部２０ａは浮き上がるから、水平片１４の押えが緩む。調整金具１３には縦枠４等の荷重が加えられているので、この荷重により調整金具１３の水平片１４は調整ネジ２０が緩んだ分だけ矢印のように浮き上がる。このとき、調整ネジ２０は長孔１７に沿って移動する。水平片１４のネジ止め部分が浮き上がると、垂直片１６は下がるから、それに対応して縦枠４もずり落ちる。このとき、固定ネジ７は長孔１５に沿って相対的に上方に移動する。縦枠４の移動量は微小なので、微妙な移動調整を行うことができる。必要な量だけ調整した後は、固定ネジ７を締め、さらに調整ネジ２０を締めて調整金具１３を固定すればよい。
【００２２】
以上のように縦枠４が下方に移動すると、下枠３と他方の縦枠４も変形するため、吊り引戸１全体を望ましい形状に変えられる。すなわち、図８（ａ）の状態にある吊り引戸１を、上述の調整作業により同図（ｂ）のように一方の縦枠４のみを下げると、上枠２以外はその重量により、相対的に他方の縦枠４は上がるから、下枠３は矢印のように他方の縦枠４側に押されて移動するので、両側の縦枠４の垂直度が補正される。したがって、同図（ａ）における両縦枠４の上部と下部の間の隙間を均一にしてぴったりと合わせることができ、施錠解錠が困難になったり、外観が損なわれてしまったりした状態を元の状態に補正することができる。
【００２３】
また、調整ネジ２０の緩み方向と水平片１４の浮き上がり方向は同じで、吊り引戸１の重量に関係なく、調整ネジ２０の緩み量に対応する分しか水平片１４は浮き上がらない。したがって、吊り引戸１の高さが高く、重量が重くても、縦枠４の微調整を行うことができる。しかも、吊り引戸１パネルを吊り下げた状態で微調整することができるから、調整作業は一人でも行うことができる。
【００２４】
以上のように、倒立Ｌ字形という簡単な構造の調整金具１３のほかに特別の部品を使わないから部品点数が少なくて済み、調整金具１３を取り付けるのに上枠２や縦枠４を加工する必要がない。しかも、吊り引戸１の本体の自重によって縦枠４が下がることを利用して強制的に歪ませて調整する。したがって、比較的安価に製作することができる。
【００２５】
調整ネジ２０は上枠２の内側に配置された裏板に止着されているので、調整ネジ２０による調整金具１３の支持をより強固にすることができる。
【符号の説明】
【００２６】
１    吊り引戸
２    上枠
３    下枠
４    縦枠
６    側板部
７    固定ネジ
８    ローラ
１３  調整金具
１４  水平片
１５  長孔
１６  垂直片
２０  調整ネジ
【図１】
2014125847.tif 000003
【図２】
2014125847.tif 000004
【図３】
2014125847.tif 000005
【図４】
2014125847.tif 000006
【図５】
2014125847.tif 000007
【図６】
2014125847.tif 000008
【図７】
2014125847.tif 000009
【図８】
2014125847.tif 000010